(57)【要約】【課題】事前の現場調査による設置広さや段差の大きさの確認などが不要であり、個別に浴室現場の寸法にあわせて部材を製作する必要がなく、規格品として部材を量産でき、その部材を設置現場に持ち込んで容易な作業で現場の設置広さに合わせたサイズで組み立て可能なすのこ等の床材用の設置架台を提供する。【解決手段】支持基材と支持調整材とを、互いに摺動することによって伸縮可能に、かつ被戴置物の荷重を受ける各々の外表面が略同一の面となるように係合させた支持材と、少なくとも２つ以上の連結材と、複数の前記支持材を互いに平行に前記連結材に連結固定する連結固定手段と、からなることを特徴とする。【選択図】図１
2004154251.tif 000002
【特許請求の範囲】
【請求項１】
支持基材と支持調整材とを、互いに摺動することによって伸縮可能に、かつ被戴置物の荷重を受ける各々の外表面が略同一の面となるように係合させた支持材と、少なくとも２つ以上の連結材と、複数の前記支持材を互いに平行に前記連結材に連結固定する連結固定手段と、からなることを特徴とする床材設置架台。
【請求項２】
前記連結材が、互いに摺動することによって伸縮可能に係合させた連結基材と連結調整材とからなることを特徴とする請求項１記載の床材設置架台。
【請求項３】
前記支持材又は／及び前記連結材が、その全長をあらかじめ定められた複数の長さから選択可能にする長さ調節手段を有していることを特徴とする請求項１ないし２記載の床材設置架台。
【請求項４】
前記支持基材と前記支持調整材は各々その全長にわたって、一様な断面形状を有することを特徴とする請求項１ないし３記載の床材設置架台。
【請求項５】
前記連結固定手段があらかじめ定められた間隔で設けられているいることを特徴とする請求項１ないし４記載の床材設置架台。
【請求項６】
前記支持材は設置床面からの設置高さを調整するための高さ調整手段を有していることを特徴とする請求項１ないし５記載の床材設置架台。
【発明の詳細な説明】
【０００１】
【発明の属する技術分野】
本発明は、床材を設置する架台に関するもので、特に、浴室洗い場床面と出入り口との間の段差を解消するため洗い場床面に設置するすのこ等の床材用の設置架台に関する。
【０００２】
【従来の技術】
従来の浴室洗い場床面と出入り口との間の段差を解消するために浴室洗い場床に設置されるすのこ等の床材、またはすのこ等の床材用の設置架台は、形状、寸法が画一化した市販製品では個々の現場の洗い場広さや段差の大きさに合わないため、また、現場での加工、組立作業が困難なため、業者などが現場搬入前に個別に浴室現場の寸法にあわせて製作する特注品となっている。
【０００３】
しかしながら、上記のような特注品では、事前の現場調査による設置広さや段差の大きさの確認が必要であり、また、特注品製作のための設計図面の作成や、部材の加工、組み立てを現場ごとに都度行う必要があり、部材の製作作業が煩雑で、製品納期も長くなるといった問題がある。
【０００４】
そこで、現場で自由にサイズを調整できるすのこ架台として、２本で一組の断面Ｌ字状のフレームと２本で一組の長い板状フレームを用い、それぞれフレームを重ね、その重なり合う長さを調整して固定することでフレーム長さを調整して全体として四角形状の台本体を組み立てるものが考案されている。（例えば特許文献１参照）
【０００５】
【特許文献１】
登録実用新案第３０２９８８９号公報
【０００６】
【発明が解決しようとする課題】
この場合現場で自由にサイズは調整できるが、２本で一組の断面Ｌ字状のフレームは２本のフレームを上下に重ね合わせているので、上部に位置するフレームと下部に位置するフレームの両上面は、フレーム厚さ分の高低差が生じ、その上にすのこを載せると高低差による隙間が生じ、すのこが同一平面内に載らない、ガタつくなどの問題がある。
【０００７】
また、使用する前記フレームは２本のフレームを上下に重ね合わせているだけで、相対的な関係は両者をボルト等で固定する時まで決まらないため、現場で設置場所に合わせて長さを調整する場合にずれたりして長さ決めがやり難いという問題がある。
【０００８】
本発明は、上記課題を解決するためになされたもので、本発明の目的は、容易な作業で現場の設置広さに合わせたサイズで組み立て可能な、すのこ等の床材用の設置架台を提供することにある。
【０００９】
【課題を解決するための手段および作用・効果】
上記目的を達成するためになされた請求項１記載の発明は、支持基材と支持調整材とを、互いに摺動することによって伸縮可能に、かつ被戴置物の荷重を受ける各々の外表面が略同一の面となるように係合させた支持材と、少なくとも２つ以上の連結材と、複数の前記支持材を互いに平行に前記連結材に連結固定する連結固定手段と、からなることを特徴とする。
【００１０】
本発明によると、支持材を床材設置架台が設置される現場の床の一方向の長さに合わせて調整し、現場の床の他の方向の長さに合わせて、適宜な間隔となるように複数の支持材を固定できるため、設置場所のスペースに合わせて本床材設置架台のサイズ調整をすることが可能である。
【００１１】
上記目的を達成するためになされた請求項２記載の発明は、請求項１記載の発明において、さらに、前記連結材が、互いに摺動することによって伸縮可能に係合させた連結基材と連結調整材とからなることを特徴とする
【００１２】
本発明によると、支持材及び連結材は長さ方向に伸縮自在なので長さ調整が各々可能であり、設置場所のスペースに合わせて本床材設置架台のサイズ調整をすることがより容易に可能である。
【００１３】
また、支持材の上面を同一平面内に配置しているので、床材支持面は高低差がなく、すのこ等の床材を同一平面内に載せることができガタつきが防止できる。そして、木製や樹脂製等のすのこ等の床材を、架台の大きさに合わせて適宜分割して架台上に敷設することが可能となる。
【００１４】
上記目的を達成するためになされた請求項３記載の発明は、請求項１ないし２記載の発明において、さらに、前記連結材又は／及び前記支持材が、その全長をあらかじめ定められた複数の長さから選択可能にする長さ調節手段を有していることを特徴とする。
【００１５】
本発明によると、複数の支持材又は／及び連結材の長さを、限られた種類の長さから選択することになるためその種類を合わせることによって、計測器を使用せずに複数の各部材を全て同じ長さにを揃えることが容易となるため、架台設置の前作業が楽になる。
【００１６】
上記目的を達成するためになされた請求項４記載の発明は、請求項１ないし３記載の発明において、さらに、前記支持基材と前記支持調整材は各々その全長にわたって、一様な断面形状を有することを特徴とする。
【００１７】
本発明によると、支持基材や支持調整材の素材として、例えば引き抜き材が使用できるため製造コストが安くなる。
【００１８】
上記目的を達成するためになされた請求項５記載の発明は、請求項１ないし４記載の発明において、さらに、あらかじめ定められた間隔で前記支持材を前記連結材に連接固定するための連結間隔設定手段を有していることを特徴とする。
【００１９】
支持材を前記連結材に連接固定するに際して、本架台上に載せられる床材の強度や標準大きさ（広さ）等の設計要素と関連付けられた最適間隔になるように長さ調整手段を設定して置けば、その間隔を選択することによって、現場で本架台を組み立てる場合に、該床材に最適な間隔で本架台を組み上げることが間違いなく容易になる。
【００２０】
上記目的を達成するためになされた請求項６記載の発明は、請求項１ないし５記載の発明において、さらに、前記支持材は設置床面からの設置高さを調整するための高さ調整手段を有していることを特徴とする。
【００２１】
本発明において、高さ調整手段を調整することで、例えば浴室洗い場床面と出入り口との段差に合わせた高さに架台の高さ調整が可能となる。
【００２２】
【発明の実施の形態】
以下、本発明の実施形態を浴室ので説明する。図１は本発明の床材設置架台の実施例の全体の構成図である。
【００２３】
床材設置架台Ａは複数の同じ長さに組まれた支持材１（本例では６組使用）と、その両端を固定する２つの連結材１０（１０ａ、１０ｂ）とで支持材１に固定されている。各支持材１は後述する連結固定手段を構成するジョイント材１３、１４で連結材１０に固定されている。
【００２４】
さらに、各支持材１にはその下面に浴室入り口の段差に合わせるための高さ調整手段８が適宜な間隔で設置されている。この床材設置架台Ａを設置現場である浴室の床に設置して、その上にすのこＢを（この例では４枚）載せている。
【００２５】
なお、すのこＢは鋸で容易に切断できる木製や樹脂製で、あらかじめ所定サイズに製作されたものを複数準備しておき、浴室現場に搬入後、床材設置架台Ａの上に適宜分割して載せるように縦横を鋸で切断して用いる。
【００２６】
支持材１は図２、図３に示すように支持調整材２、支持基材３からなり、両者はそれぞれ長さ方向に伸びる切り欠き溝４、５を有し、切り欠き溝４は鉛直下向き、切り欠き溝５は鉛直上向きになって支持調整材２が支持基材３の中空部に摺動可能に挿入されて、支持材１の全長が変えられるようになっている。
【００２７】
また支持調整材２は切り欠き溝４と反対側の面に突出部６を有し、突出部６の上面の突出面６ａは、支持調整材２が支持基材３に挿入された状態では図４に示すように、支持基材３の上面３ａと略同一平面を形成するようになっている。
【００２８】
ここで本実施例では支持調整材２、支持基材３はコスト等の理由で引き抜き材で製作可能な形状とするため、その全長に渡って前記の略同一平面を形成しているが、他の設計要因の関係で例えば部分的にへこみや切欠き、穴などを設けても、本床材設置架台に戴置する床材の被戴置面（すなわち、床材の裏面）の形態との関係によっては、床材を受ける面が仮想的な略同一平面上を構成し、かつ、互いに摺動して伸縮可能であれば本発明の他の実施形態として採用可能である。
【００２９】
また、支持基材３の下面両端部にはネジ穴部７が設けられ、ネジ軸部を有する高さ調整手段８がネジ穴部７に螺入出自在にネジ合わせされる。床材設置架台Ａの設置高さは、高さ調整手段８の締め込み量を調整することにより所定高さに調整できる。
【００３０】
ここで本実施例では本現場の設置床の微妙な不陸をも調整可能とするため高さ調整手段８をネジ式としているが、スライド伸縮式や穴にピンを刺して固定するノックピン式等通常用いられる他の高さ調整構造を適宜採用しても良い。
【００３１】
さらに支持調整材２の両端部付近の側面にはネジ穴１５が設けられ、支持基材３の側面には一定ピッチの複数の貫通穴１６が設けられ、任意の貫通穴１６を通してネジ穴１５に固定ボルト１７が締められ、支持調整材２に支持基材３が螺止され、支持材１は長さが固定される。
【００３２】
したがって支持材１の長さは、上記のボルト１７の止め位置を変えることで全体の長さを設置場所の広さに最も近い長さから選択して固定することが簡単な構造で可能となる。さらに、現場で複数の支持材を組み付ける場合にも、全ての支持材の長さを揃えることが穴ピッチ単位で正確にかつ容易に出来る。
【００３３】
また支持基材３の両端部付近の側面には貫通穴２２が設けられている。
【００３４】
連結材１０は、図５、図６に示すように４種類の部材、すなわち連結基材１１、連結調整材１２、ジョイント材１３、１４とからなる。１つの連結基材１１には１つの連結調整材１２、及び３つのジョイント材１３が連結材１０の長手方向に各々摺動可能に組み合わされている。
【００３５】
ここで、ジョイント材１３は図６で示されるように、連結調整材１２の摺動部を形成する部分と略同一断面形状の連結材接続部１３ａと、さらに支持調整材２の摺動部を形成する部分と略同一断面形状の支持材接続部１３ｂとを有している。
【００３６】
連結調整材１２には支持基材３の端部と連結固定するためのジョイント材１４があらかじめ取り付け固定されている。このジョイント材１４は支持調整材２の摺動部を形成する部分と略同一断面形状を持っているため支持基材３の端部に挿入可能となっており、その側面には支持基材３を連結固定するためのネジ穴２１が設けられている。なお、ジョイント材１４は設置場所の広さに応じてその使用個数を増減する。
【００３７】
また、連結基材１１は図７に示されているように、連結調整材１２の摺動面の断面形状に習った形状の一様な断面形状を持つ摺動部１１ａと、材連結調整材１２を摺動部１１ａとで挟み込んで連結調整材１２の摺動をガイドするためのガイド部１１ｂとで構成されている。そして、その側面には連結調整材１２やジョイント材１３を固定するための一定ピッチのネジ穴１８が設けられている。
【００３８】
そして、材連結調整材１２、ジョイント材１３の側面には貫通穴１９、２０が設けられ、貫通穴１９、貫通穴２０を通してネジ穴１８に固定ボルト２３を螺止することにより、連結基材１１に連結調整材１２、ジョイント材１３がそれぞれ係止されるとともに連結材１０は長さが固定される。
【００３９】
ここで、連結材１０の長さは、ネジ止め位置を変えることで全体の長さを変えることもジョイント材１３の取付位置を変えることも可能である。また、ジョイント材１３は全体の長さに応じて適宜個数を増減できる。
【００４０】
図１に示すように連結材１０ａのジョイント材１３、１４を各支持材１の一端部にそれぞれ挿入させ、同様にして各支持材１の他端部に連結材１０ｂのジョイント材１３、１４をそれぞれ挿入させて全体の仮組みを行なう。次に、支持材１の貫通穴２２を通してジョイント材１３、１４のネジ穴２１に固定ボルト２４を締め付け、複数の支持材１に接続固定して、所定サイズの根太組み状の床材設置架台Ａが組み立てられる。
【００４１】
以上述べたように、本実施例では支持材１を連結材１０にジョイント材１３、１４を介して連結固定するに際して、各々を他の部材に挿入あるいは嵌合させるだけで互いの連結は完了するため、現場での仮組みが容易になる。その後ねじ等で締結固定するだけで、床材設置架台Ａは完成する。
【００４２】
以上のように床材設置架台Ａを、浴室の洗い場の広さに合わせて支持材及び接続材の長さを調整して組み立てて、浴室の洗い場床に設置し、次に床材設置架台Ａの上に洗い場の床似合わせて切断したすのこＢを載せることで、洗い場の床を嵩上げし、浴室出入り口と洗い場床との段差を解消させることができる。
【００４３】
また、このとき、すのこＢが載置される面は、床材設置架台Ａの上面、すなわち支持材１の設置上面であり、前述の通り支持調整材２の突出部６の上面である突出面６ａと支持基材３の上面ａとは略同一平面内に位置するので、すのこＢは同一平面上に安定して支持され、ガタつくことがない。
【００４４】
なお、本実施例では、床材設置架台Ａの連結材２は支持材１の両端に両者の上面が略同一平面となるように２本組み付けているが、他の実施形態としては、例えば広い設置場所等に適用する場合などでは、連結材２と支持材１との連結部の構造を、支持材１の下面に連結材２を配置する鉄道線路の枕木方式に変えて、連結材２の使用本数を増やして床材設置架台Ａの固定強度を向上するようにしても良い。
【００４５】
なお、本実施例では、連結材２は支持材１と同様に、互いに摺動することによって伸縮可能に係合させた連結基材１１と連結調整材１２とからなる構成であるが、他の実施形態としては、本実施例の連結調整材１２のように、連結固定手段を一定の間隔で取り付け固定可能にした一本の長尺の素材を用いて、現場のサイズに合わせて切断して使用するようにしても良い。
【００４６】
上記実施例では、床材設置架台Ａの上にすのこＢを載せたが、上に載せる床材は、すのこ状の床材以外のものでも構わない。また、使用場所は浴室以外でも構わない。
【００４７】
【発明の効果】
本発明を実施したすのこ等の床材用の設置架台は、上記構成により、事前の現場調査による設置広さや段差の大きさの確認などが不要となる。また、個別に設置現場の寸法にあわせて部材を製作する必要がなく、規格品として部材を量産でき、その部材を設置現場に持ち込んで容易な作業で現場の設置広さに合わせたサイズで組み立て可能となる。さらにまた、その床材支持面は高低差がなく、すのこ等の床材を同一平面内に載せることができ、ガタつくこともない。
【図面の簡単な説明】
【図１】本発明の実施例の全体の構成図である。
【図２】実施例の支持材の構成図である。
【図３】支持材を構成する各部材の斜視図である。
【図４】支持材の構成を示す断面図である。
【図５】実施例の連結材の構成図である。
【図６】連結材を構成する各部材の斜視図である。
【図７】連結材の構成を示す断面図である。
【符号の説明】
１      支持材
２      支持調整材
３      支持基材
４      切り欠き溝
５      切り欠き溝
６      突出部
６ａ    突出面
７      ネジ穴部
８      高さ調整部材
９      ロックナット
１０    連結材
１０ａ  連結材
１０ｂ  連結材
１１    連結基材
１１ａ  摺動部
１１ｂ  ガイド部
１２    連結調整材
１３    ジョイント材
１３ａ  連結材接続部
１３ｂ  支持材接続部
１４    ジョイント材
１５    ネジ穴
１６    貫通穴
１７    固定ボルト
１８    ネジ穴
１９    貫通穴
２０    貫通穴
２１    ネジ穴
２２    貫通穴
２３    固定ボルト
２４    固定ボルト
Ａ      床材設置架台
Ｂ      すのこ
【図１】
2004154251.tif 000003
【図２】
2004154251.tif 000004
【図３】
2004154251.tif 000005
【図４】
2004154251.tif 000006
【図５】
2004154251.tif 000007
【図６】
2004154251.tif 000008
【図７】
2004154251.tif 000009